(57)【特許請求の範囲】
【請求項１】
移動車両の荷台（２）に土中灌注用の薬液を収容するタンク（３）と表面散布用の薬液を収容するタンク（４）とを設け、
該移動車両の荷台（２）の後部に、前記土中灌注用薬液を収容するタンク（３）から高圧ポンプ（１４）によって送り出された薬液を高圧状態で土中へ注入する灌注機（２８）と、前記表面散布用薬液を収容タンク（４）から低圧ポンプ（１５）によって送り出された薬液を地表面に向かって散布する散布機（３０）とを設けるに、
前記灌注機（２８）は荷台（２）に昇降自在に設けられ前記薬液を土中に注入するノズル（３３…）を備え、
前記散布機（３０）は該灌注機（２８）の上方に配設される中央フレーム（３７ａ）と、この中央フレーム（３７ａ）の左右両側にあって上方へ開閉自在に設ける側部フレーム（３８，３８）とからなり、これら中央フレーム（３７ａ）及び側部フレーム（３８，３８）に前記薬液を地表面に向かって散布する噴出部を設けたことを特徴とする灌注・散布作業車。
【請求項２】
土中灌注用の薬液を収容するタンク（３）と表面散布用の薬液を収容するタンク（４）とを連通する連通パイプ（５）を設け、この連通パイプ（５）の途中に切替弁（７）を設けてなる請求項１に記載の灌注・散布作業車。
【発明の詳細な説明】
【０００１】
【発明の属する技術分野】
この発明は、ゴルフ場等の芝地に液体を注入して土壌を活性化する灌注・散布作業車に関する。
【０００２】
【従来技術】
ゴルフ場において、薬液を芝地に表面散布する装置と土中に高圧液体を注入する灌注装置とを１つの機械で行うものは現在、存在していない。
【０００３】
【発明が解決しようとする課題】
このため、芝地の表面散布をする場合と灌注作業を行う場合には、種類の異なる別々の機械を準備しなければならず、管理コストが高くなると共に、同時に作業を行なう場合には、２台の作業機を作業場に持っていかなければならないから煩雑となる欠点がある。
【０００４】
【課題を解決するための手段】
この発明は前記の課題に鑑みて提案するものであって、次のような技術的手段を講じた。
即ち、請求項１に記載の発明は、移動車両の荷台（２）に土中灌注用の薬液を収容するタンク（３）と表面散布用の薬液を収容するタンク（４）とを設け、該移動車両の荷台（２）の後部に、前記土中灌注用薬液を収容するタンク（３）から高圧ポンプ（１４）によって送り出された薬液を高圧状態で土中へ注入する灌注機（２８）と、前記表面散布用薬液を収容タンク（４）から低圧ポンプ（１５）によって送り出された薬液を地表面に向かって散布する散布機（３０）とを設けるに、前記灌注機（２８）は荷台（２）に昇降自在に設けられ前記薬液を土中に注入するノズル（３３…）を備え、前記散布機（３０）は該灌注機（２８）の上方に配設される中央フレーム（３７ａ）と、この中央フレーム（３７ａ）の左右両側にあって上方へ開閉自在に設ける側部フレーム（３８，３８）とからなり、これら中央フレーム（３７ａ）及び側部フレーム（３８，３８）に前記薬液を地表面に向かって散布する噴出部を設けたことを特徴とする灌注・散布作業車とする。
また、請求項２に記載の発明は、上記において、土中灌注用の薬液を収容するタンク（３）と表面散布用の薬液を収容するタンク（４）とを連通する連通パイプ（５）を設け、この連通パイプ（５）の途中に切替弁（７）を設けてなる。
【０００５】
【発明の実施の形態】
以下、図面に示す実施の形態に基づいて、この発明の実施例を説明する。まず、構成から説明すると、１は荷台２を有する移動車輌としてのトラックであり、荷台２には２個のタンク３、４を前後方向に接近させて搭載している。両タンク３、４の底部には両タンク３、４を相互に連通させる連通パイプ５が設けられ、連通パイプ５の途中には切替弁７が設けられている。
【０００６】
８、９はタンク３、４上面に設けられた蓋、１０、１１はタンク３、４側面に設けられた水位計である。前部タンク３には土中灌注用の薬液が収容され、後部タンク４には表面散布用の薬液が収容されている。後部タンク４の後方には駆動源としてのエンジン１２が載置され、このエンジン１２の左右横側部には高圧ポンプ１４と低圧ポンプ１５が夫々クラッチ１７、１８を介して接続されている。
【０００７】
高圧ポンプ１４と低圧ポンプ１５には圧力変動を吸収するアキュムレ−タ２０、２１が取り付けられている。２２、２３は圧力を調整する調圧弁、２４、２５は圧力計である。高圧ポンプ１４の下手側には高圧の液体を土中に注入する灌注機２８が設けられ、低圧ポンプ１５の下手側には低圧の液体を散布する散布機３０が設けられている。
【０００８】
灌注機２８は６個の電磁バルブ３１、３１…と、６個のノズルランス３２…と、各ノズルランス３２…に４個ずつ取り付けられているノズル３３…とからなり、図示外のマイコンからなるコントロ−ラによって電磁バルブ３１…が制御され、高圧（３５０ｋｇ／ｃｍ2）の液体がこのノズル３３…から噴出されるように構成している。
【０００９】
灌注機２８は図１に示すように、トラック１の荷台後部において、昇降リンク３４にて昇降回動自在に連結されており、地面の上を滑走できるように構成されている。なお、符号３５は灌注機２８の外周を覆っている樹脂性のカバ−であり、ノズル３３…周辺部のみを開口し、その他の部分はカバ−３５で覆うように構成している。
【００１０】
灌注機２８は油圧若しくは電動モ−タ等を利用して上下方向に移動させられることができるものであり、非作業中は昇降リンク３４を上方へ回動させる。一方、図２に示すように、散布機３０は機体後部において３分割されたフレ−ム３７ａ、３７ｂ、３７ｃに複数個の噴出部を有するホ−ス３８が取り付けられ、噴出部から薬液等が噴出できるように構成している。
【００１１】
なお、中央のフレ−ム３７ａに対して左右両側のフレ−ム３７ｂ、３７ｃは手動で開閉させても良いが、電動モ−タ等の動力源を利用して開閉するようにしても良い。次に上例の作用を説明する。ゴルフ場等において芝地に高圧の液体を注入あるいは薬液を注入するときには、タンク３に水あるいは薬液を充填し、クラッチ１６を繋いでエンジン１２により高圧ポンプ１４を駆動させる。
【００１２】
そして、図示外のコントロ−ラに対して、１回当たりのノズルの噴出量や単位時間当たりの注入回数等の出力条件を設定し、電磁バルブ３１に駆動パルスを与える。すると、所定の圧力に調整された高圧の液体がノズル３３先端から勢い良く断続的に噴出し、土中に深く細孔をあけながら硬い土壌を粉砕する。なお、このとき、散布作業を行わず、灌注作業のみを行うのであれば散布用のタンク４にも同じ液体を充填し、切替弁７を連通側に切り替えることにより、タンク容量を増やした状態で灌注作業を継続できる。
【００１３】
また、散布作業のみを行う場合には、クラッチ１６を切り、反対側のクラッチ１７を接続して低圧ポンプ１５を駆動する。すると、３５ｋｇ／ｃｍ2程度の低圧の液体がこのポンプ１５によって送り出され、ホ−ス３８の噴出口から芝生の表面に散布される。この場合、散布作業のみであれば前記の場合と同様、切替弁７を連通側に切り替え、タンク３、４に同じ薬液を充填して散布作業を行うことができる。
【００１４】
【発明の効果】
この発明に係る灌注・散布作業車は、請求項１に記載の発明によると、１台の機械で灌注作業と散布作業の異なる２種類の作業を行うことができることになり、灌注作業と散布作業の同時作業によって、あるいはこれら作業の切換えが容易であることによって作業の能率が向上すると共に、１台ずつ異なる機械を持つ場合に比べ維持管理も容易になる。
また、請求項2に記載の発明によると、同時作業を行わず、灌注作業又は散布作業のいずれかの作業のみを行う場合は土中灌注用の薬液収容タンク（３）と表面散布用の薬液収容タンク（４）とを連通することによりタンク容量を増やした状態で各作業を継続できる。
【図面の簡単な説明】
【図１】 装置全体の斜視図である。
【図２】 装置全体の側面図である。
【図３】 制御系のブロック図である。
【符号の説明】
１  トラック
２   荷台
３   タンク
４   タンク
２８ 灌注機
３０ 散布機
３３ ノズル
３７a中央フレーム
３８ 側部フレーム
【図１】
0003736499.tif 000002
【図２】
0003736499.tif 000003
【図３】
0003736499.tif 000004